(57)【要約】【課題】コンパクトな構成を有しながらも、十分なる実用性を発揮できるデジタルカメラを提供する。【解決手段】単形電池１９を用いるデジタルカメラ１００の前後方向長を小さくしようとした場合、単形電池１９は、その外径より全長が長いので、その軸線が、デジタルカメラ１００のレンズユニット１の光軸に直交する方向に延在するように配置することが望ましい。かかる場合、問題となるのは、レンズユニット１の光軸方向長である。すなわち、単形電池１９の形状は規格で決まっているために、それに合わせてレンズユニット１の光軸方向長を設計する必要がある。しかるに、レンズユニット１の光軸方向長さを、装填される単形電池１９の外径の０．９倍以上とすることで、十分な光学性能を有する撮影光学系を得ることができ、一方、１．１倍以下とすることで、前後方向長の小さいデジタルカメラ１００を提供できる。【選択図】　　図１
2004104218.tif 000002
【特許請求の範囲】
【請求項１】
撮影光学系と、
単形電池の装填部とを有するデジタルカメラであって、
前記撮影光学系の光軸方向長さを、前記装填部に装填される単形電池の外径の０．９倍以上、１．１倍以下としたことを特徴とするデジタルカメラ。
【請求項２】
前記装填部に装填された複数の単形電池は、前記撮影光学系の光軸方向に直交する方向に配置されていることを特徴とする請求項１に記載のデジタルカメラ。
【請求項３】
前記撮影光学系の光軸よりも、前記装填部に装填された単形電池の軸線に近い位置に、レリーズ信号を出力するためのレリーズスイッチが配置されていることを特徴とする請求項１又は２に記載のデジタルカメラ。
【請求項４】
前記装填部に装填された単形電池の軸線に対し、前記撮影光学系の光軸を挟んで反対側に、画像を表示するモニタが配置されていることを特徴とする請求項１乃至３のいずれかに記載のデジタルカメラ。
【請求項５】
前記装填部に装填された単形電池の軸線に対し、前記撮影光学系の光軸を挟んで反対側に、画像処理回路が配置されていることを特徴とする請求項４に記載のデジタルカメラ。
【請求項６】
前記モニタと、前記画像処理回路とは、前記撮影光学系の光軸方向に見たときに少なくとも一部が重合するように配置されていることを特徴とする請求項４又は５に記載のデジタルカメラ。
【請求項７】
撮影者が把持するグリップ側に配置された単形電池の装填部と、
撮影光学系と、
前記装填部に対し、前記撮影光学系の光軸を挟んで反対側に配置された、画像表示用のモニタと、
前記撮影光学系の光軸方向に見たときに、前記モニタと、少なくとも一部が重合するように配置された画像処理回路と、を有することを特徴とするデジタルカメラ。
【請求項８】
前記装填部に装填された複数の単形電池は、前記撮影光学系の光軸方向に直交する方向に配置されていることを特徴とする請求項７に記載のデジタルカメラ。
【請求項９】
前記撮影光学系の光軸よりも、前記装填部に装填された単形電池の軸線に近い位置に、レリーズ信号を出力するためのレリーズスイッチが配置されていることを特徴とする請求項７又は８に記載のデジタルカメラ。
【請求項１０】
撮影光学系と、
単形電池の装填部と、
閃光発光用のコンデンサと、を有するデジタルカメラであって、
前記装填部に装填された単形電池の軸線方向長と外径に対して、前記コンデンサの全長及び最大全幅は、それぞれ０．９倍以上、１．１倍以下であることを特徴とするデジタルカメラ。
【請求項１１】
前記装填部に装填された単形電池の軸線方向と、前記コンデンサの軸線方向は平行であることを特徴とする請求項１０に記載のデジタルカメラ。
【請求項１２】
前記装填部に装填された単形電池及び前記コンデンサは、前記撮影光学系の光軸方向に直交する方向に配置されていることを特徴とする請求項１０又は１１に記載のデジタルカメラ。
【請求項１３】
前記撮影光学系の光軸よりも、前記装填部に装填された単形電池の軸線に近い位置に、レリーズ信号を出力するためのレリーズスイッチが配置されていることを特徴とする請求項１０乃至１２のいずれかに記載のデジタルカメラ。
【請求項１４】
前記装填部に装填された単形電池の軸線に対し、前記撮影光学系の光軸を挟んで反対側に、画像を表示するモニタが配置されていることを特徴とする請求項１０乃至１３のいずれかに記載のデジタルカメラ。
【請求項１５】
前記装填部に装填された単形電池の軸線に対し、前記撮影光学系の光軸を挟んで反対側に、画像処理回路が配置されていることを特徴とする請求項１４に記載のデジタルカメラ。
【請求項１６】
前記モニタと、前記画像処理回路とは、前記撮影光学系の光軸方向に見たときに少なくとも一部が重合するように配置されていることを特徴とする請求項１４又は１５に記載のデジタルカメラ。
【請求項１７】
内部を３領域に分けられるカメラボディと、
前記カメラボディ内部の第１領域に配置された単形電池の装填部と、
前記カメラボディ内部の第２領域に配置された撮影光学系と、
前記カメラボディ内部の第３領域に配置された画像処理回路と、を有し、
前記撮影光学系に直交する方向において、前記第１領域と前記第３領域との間に、前記第２領域が配置されていることを特徴とするデジタルカメラ。
【請求項１８】
前記撮影光学系の光軸方向に見たときに、前記画像処理回路と、少なくとも一部が重合するように配置されたモニタを有することを特徴とする請求項１７に記載のデジタルカメラ。
【請求項１９】
前記装填部に装填された複数の単形電池は、前記撮影光学系の光軸方向に直交する方向に配置されていることを特徴とする請求項１７又は１８に記載のデジタルカメラ。
【請求項２０】
前記撮影光学系の光軸よりも、前記装填部に装填された単形電池の軸線に近い位置に、レリーズ信号を出力するためのレリーズスイッチが配置されていることを特徴とする請求項１７乃至１９のいずれかに記載のデジタルカメラ。
【発明の詳細な説明】
【０００１】
【発明の属する技術分野】
本発明は、デジタルカメラに関し、特にコンパクトな構成を有するデジタルカメラに関する。
【０００２】
【従来の技術】
例えば銀塩カメラにおいては、フィルムのパトローネを装填するパトローネ室を備えているため、例えばカメラの前後長を、装填するパトローネの幅よりも小さくできないというデザイン上の制約がある。これに対し、デジタルカメラは、パトローネ室を備える必要がなく、また撮像素子として用いられるＣＣＤ等は、厚さの薄いチップ形状であるため、銀塩カメラに対し、外観形状を比較的任意の形にしやすいというデザイン上のメリットがある。
【０００３】
【発明が解決しようとする課題】
このように、銀塩カメラに比べ、デジタルカメラは外観形状の設計の自由度が高いが、実用性を考慮すると、必ずしも任意の外観形状にできるとは限らない。例えば、デジタルカメラは、コンパクトであればあるほど一般的には携帯性に優れるといえるが、撮影者がいずれかの手で把持して撮影を行うものであるため、撮影者が安定して把持できないほどコンパクトなデジタルカメラは、実用性が劣るといえる。
【０００４】
又、デジタルカメラには、ＣＣＤやモニタなどを動作させるため電力を供給する電源が本来的に必要である。通常は、屋外でカメラを用いた撮影を行うことが多いから、その電源としては、家庭用の電灯線ではなく電池を用いるのが適しているといえる。ここで、デジタルカメラ専用の電池を用いるとするならば、デジタルカメラ内部の余った空間の形状に合わせて電池を設計すれば良く、デザイン的にも優れ、極力コンパクトな外観形状とすることができる（例えばカシオ株式会社製、製品名ＥＸＩＬＩＭ、以下のＵＲＬ参照）。しかしながら、デジタルカメラ専用の電池を用いると、充電などの必要が生じ煩わしいと共に、旅先などで電池がなくなったとき、充電できないがため撮影を行えないといった問題も生じうる。又、デジタルカメラ専用の電池は高いという問題もある。更には、上述したように、デジタルカメラを機能面からとらえたときに、コンパクト性のみを追求することは必ずしも実情に合致しないといった問題もある。
【非特許文献】
ｈｔｔｐ：／／ｗｗｗ．ｅｘｉｌｉｍ．ｊｐ／
【０００５】
以上を鑑みるに、デジタルカメラ専用の電池を用いず、世界中どこでも比較的安価に入手しやすい単形電池を、デジタルカメラの電源として用いることが一つの解決策といえる。ところが、単形電池は、規格により決められた細長い円筒形状を有しているため、ある程度コンパクトな外観形状を確保するために、どのような形でデジタルカメラに組み入れるべきかが問題となる。更に、閃光発光用のコンデンサをどのように組み込むかといった問題もある。
【０００６】
本発明は、かかる従来技術の問題点に鑑みてなされたものであり、コンパクトな構成を有しながらも、十分なる実用性を発揮できるデジタルカメラを提供することを目的とする。
【０００７】
【課題を解決するための手段】
第１の本発明のデジタルカメラは、撮影光学系と、単形電池の装填部とを有するデジタルカメラであって、前記撮影光学系の光軸方向長さを、前記装填部に装填される単形電池の外径の０．９倍以上、１．１倍以下としたので、コンパクトなデジタルカメラを提供できる。例えば単形電池を用いるデジタルカメラの前後方向長を小さくしようとした場合、単形電池は、その外径より全長が長いので、その軸線が、デジタルカメラの撮影光学系の光軸に直交する方向に延在するように配置することが望ましい。かかる場合、問題となるのは、撮影光学系の光軸方向長である。すなわち、単形電池の形状は規格で決まっているために、それに合わせて撮影光学系の光軸方向長を設計する必要がある。しかるに、本発明のように、前記撮影光学系の光軸方向長さを、前記装填部に装填される単形電池の外径の０．９倍以上とすることで、十分な光学性能を有する撮影光学系を得ることができ、一方、１．１倍以下とすることで、前後方向長の小さいデジタルカメラを提供できる。尚、デジタルカメラの携帯性、電池容量及び入手のしやすさを考慮すると、前記単形電池は、単三電池又は単四電池であることが好ましいが、かかる場合、その外径が１０ｍｍ〜１４ｍｍ程度となり、撮影光学系の光軸方向長を、その０．９〜１．１倍とすると、単焦点光学系が望ましいといえるが、それに限ることはない。「単形電池」とは、単一〜六電池をいうものとする。
【０００８】
更に、前記装填部に装填された複数の単形電池は、前記撮影光学系の光軸方向に直交する方向に配置されていると、上述したごとく、デジタルカメラの前後方向長を小さく抑えることができるので好ましい。
【０００９】
又、前記撮影光学系の光軸よりも、前記装填部に装填された単形電池の軸線に近い位置に、レリーズ信号を出力するためのレリーズスイッチが配置されていると好ましい。前記装填部に装填された単形電池の軸線に対し、前記レリーズスイッチが近接して配置されているということは、デジタルカメラを把持するグリップ側に単形電池が配置されているということを意味する。グリップ側に、比較的重い単形電池を配置することで、デジタルカメラを片手で把持してもバランスが良く、カメラブレなどを抑制できる効果がある。
【００１０】
更に、前記装填部に装填された単形電池の軸線に対し、前記撮影光学系の光軸を挟んで反対側に、画像を表示するモニタが配置されていると、デジタルカメラをコンパクトな構成としたときに、それを把持する撮影者の親指などがモニタ上に被さって画像が視認できなくなるなどの不具合を回避できる。
【００１１】
又、前記装填部に装填された単形電池の軸線に対し、前記撮影光学系の光軸を挟んで反対側に、画像処理回路が配置されていると好ましい。かかる場合、前記モニタと前記画像処理回路は近接した配置されることとなり、それらを互いに接続する配線が短くて済み、ノイズがのるなど不具合を抑制できるからである。
【００１２】
更に、前記モニタと、前記画像処理回路とは、前記撮影光学系の光軸方向に見たときに少なくとも一部が重合するように配置されていると、それらを互いに接続する配線を極力短くできるので好ましい。
【００１３】
第２の本発明のデジタルカメラは、撮影者が把持するグリップ側に配置された単形電池の装填部と、撮影光学系と、前記装填部に対し、前記撮影光学系の光軸を挟んで反対側に配置された、画像表示用のモニタと、前記撮影光学系の光軸方向に見たときに、前記モニタと、少なくとも一部が重合するように配置された画像処理回路と、を有するので、前記グリップ側に、比較的重い単形電池を配置することで、デジタルカメラを片手で把持してもバランスが良く、カメラブレなどを抑制できる効果がある。
【００１４】
更に、前記装填部に装填された複数の単形電池は、前記撮影光学系の光軸方向に直交する方向に配置されていると、デジタルカメラの前後方向長をより小さく抑えることができるので好ましい。
【００１５】
又、前記撮影光学系の光軸よりも、前記装填部に装填された単形電池の軸線に近い位置に、レリーズ信号を出力するためのレリーズスイッチが配置されていると好ましい。
【００１６】
第３の本発明のデジタルカメラは、撮影光学系と、単形電池の装填部と、閃光発光用のコンデンサと、を有するデジタルカメラであって、前記装填部に装填された単形電池の軸線方向長と外径に対して、前記コンデンサの全長及び最大全幅は、それぞれ０．９倍以上、１．１倍以下であるので、コンパクトなデジタルカメラでありながら、容量の大きなコンデンサを確保できる。すなわち、前記単形電池の軸線方向長と外径に対して、前記コンデンサの全長及び最大全幅が、それぞれ０．９倍以上であると、コンデンサの容量を確保でき、一方、１．１倍以下であると、前記コンデンサが前記単形電池より相当に大きくなることに起因してデジタルカメラが大型化することを抑制できるからである。
【００１７】
更に、前記装填部に装填された単形電池の軸線方向と、前記コンデンサの軸線方向は平行であると、デジタルカメラの内部の有効利用が図れ、結果としてコンパクトな構成を提供できる。
【００１８】
又、前記装填部に装填された単形電池及び前記コンデンサは、前記撮影光学系の光軸方向に直交する方向に配置されていると、デジタルカメラの前後方向長を小さく抑えることができる。
【００１９】
更に、前記撮影光学系の光軸よりも、前記装填部に装填された単形電池の軸線に近い位置に、レリーズ信号を出力するためのレリーズスイッチが配置されていると好ましい。前記装填部に装填された単形電池の軸線に対し、前記レリーズスイッチが近接して配置されているということは、デジタルカメラを把持するグリップ側に単形電池が配置されているということを意味する。グリップ側に、比較的重い単形電池を配置することで、デジタルカメラを片手で把持してもバランスが良く、カメラブレなどを抑制できる効果がある。
【００２０】
又、前記装填部に装填された単形電池の軸線に対し、前記撮影光学系の光軸を挟んで反対側に、画像を表示するモニタが配置されていると、デジタルカメラをコンパクトな構成としたときに、それを把持する撮影者の親指などがモニタ上に被さって、表示される画像を隠すことなどが抑制されるので好ましい。
【００２１】
更に、前記装填部に装填された単形電池の軸線に対し、前記撮影光学系の光軸を挟んで反対側に、画像処理回路が配置されていると好ましい。かかる場合、前記モニタと前記画像処理回路は近接した配置されることとなり、それらを互いに接続する配線が短くて済み、ノイズがのるなど不具合を抑制できるからである。
【００２２】
又、前記モニタと、前記画像処理回路とは、前記撮影光学系の光軸方向に見たときに少なくとも一部が重合するように配置されていると、それらを互いに接続する配線を極力短くできるので好ましい。
【００２３】
第４の本発明のデジタルカメラは、内部を３領域に分けられるカメラボディと、前記カメラボディ内部の第１領域に配置された単形電池の装填部と、前記カメラボディ内部の第２領域に配置された撮影光学系と、前記カメラボディ内部の第３領域に配置された画像処理回路と、を有し、前記撮影光学系に直交する方向において、前記第１領域と前記第３領域との間に、前記第２領域が配置されているので、例えば、前記第１領域の前記装填部をデジタルカメラのグリップ側に配置することで、グリップ側に、比較的重い単形電池を配置することができ、デジタルカメラを片手で把持してもバランスが良く、カメラブレなどを抑制できる効果がある。更に、前記第１領域に対して、前記第２領域を間に挟むことで離された第３領域に前記画像処理回路を配置すれば、例えばノイズを防止すべく前記画像処理回路に短い配線で接続されたモニタも、グリップ側から離されることとなり、グリップを把持する撮影者の親指などが、モニタ上に被さって画像が視認できなくなるというような不具合を回避できる。
【００２４】
従って、前記撮影光学系の光軸方向に見たときに、前記画像処理回路と、少なくとも一部が重合するように配置されたモニタを有すると好ましい。
【００２５】
更に、前記装填部に装填された複数の単形電池は、前記撮影光学系の光軸方向に直交する方向に配置されていると、デジタルカメラの光軸方向長を小さく抑えることができるので好ましい。
【００２６】
又、前記撮影光学系の光軸よりも、前記装填部に装填された単形電池の軸線に近い位置に、レリーズ信号を出力するためのレリーズスイッチが配置されていると好ましい。
【００２７】
【発明の実施の形態】
以下、図面を参照して本発明の実施の形態にかかるカメラを詳細に説明する。図１は、本発明を適用したデジタルカメラｌ００の一実施の形態を示す外観図であり、図１（ａ）はデジタルカメラ１００の前面斜視図、図１（ｂ）は背面斜視図である。尚、図１において、点線で示すものは、デジタルカメラ１００の内部に配置されている部品である。
【００２８】
図１（ａ）において、前後方向に薄いボディ１０１内には、図１（ａ）で左側には２本の単三電池（単四電池等でも良い）１９が、軸線を上下に延在させ且つ平行に配置されている。ボディ１０１の内部中央背面側には、ＣＣＤ３が配置され、その前方には、２枚のレンズからなるレンズユニット１が配置されている。レンズユニット１の光軸は、単三電池１９の軸線に直交するように延在している。更に、ボディ１０１の図１（ａ）で右側には画像処理回路やＣＰＵを含む回路基板１０２が配置されている。デジタルカメラ１００の前後方向（レンズユニット１の光軸方向）に見たときに、回路基板１０２に一部又は全部が重合するようにして、画像表示用のモニタ８が配置されている（図１（ｂ））。尚、ボディ１０１内部は、単三電池１９が装填されている第１領域（装填部）と、レンズユニット１が配置された第２領域と、回路基板１０２が配置された第３領域とに便宜上分かれているものとする。
【００２９】
更に、図１（ｂ）に示すように、デジタルカメラ１００の背面に、各種機能の設定、切換を操作するための操作ＳＷ（スイッチ）２１が配置され、又、デジタルカメラ１００の上面における、単三電池１９とレンズユニット１との間の位置には、シャッターレリーズを行うためのレリーズスイッチ２１ａが配置されている。レンズユニット１の上方には、背面側から被写体を確認するための光学式ファインダー２５が配置され、その上方には閃光発光部２２が配置されている。
【００３０】
図２は、デジタルカメラ１００の機能的構成を示すブロック図である。図２において、デジタルカメラ１００は、２枚のレンズからなるレンズユニット１、絞り２、ＣＣＤ３からなる撮像光学系２４、撮像回路４、Ａ／Ｄ変換回路５、メモリ６、Ｄ／Ａ変換回路７、モニタ８、記録用メモリ９、圧縮伸長回路１０、ＣＰＵ１１、ＴＧ１２、ＡＥ処理回路１３、ＣＣＤドライバ１４、絞り駆動モータ１５、絞り駆動モータ駆動回路１６、単三電池１９、ＥＥＰＲＯＭ２０、操作ＳＷ２１（レリーズスイッチ２１ａを含む）、閃光発光部２２、そのスイッチング回路２３を有している。
【００３１】
撮像光学系２４は、後述する被写体の光学像を取り込むレンズユニット（本実施の形態では単焦点）１、レンズユニット１を透過した光束の光量を調節すると共に露光の調節を行う絞り２、レンズユニット１の光路上において結像された被写体の光学像を光電変換するＣＣＤ（Ｃｈａｒｇｅ　Ｃｏｕｐｌｅｄ　Ｄｅｖｉｃｅ）３，ＣＣＤ取付基板３Ａにより構成され、光電変換された画像信号（アナログ信号）を撮像回路４ヘ出力する。すなわち、撮像光学系２４及び撮像回路４により、撮像手段としての機能を有する。尚、請求項にいう「撮影光学系の光軸方向の長さ」とは、ここではレンズユニット１の最前面（被写体側）からＣＣＤ取付基板３Ａの最後面までの長さをいうものとする。撮影光学系２４は、レンズユニット１とＣＣＤ３及びＣＣＤ取付基板３Ａが１つの部品としてパッケージ化されているもの（いわゆるＭＣＵ）であっても良く、レンズユニット１とＣＣＤ３及びＣＣＤ基板３Ａが別々に組み立てられているものでも、いずれでも良い。
【００３２】
撮像回路４は、ＴＧ１２から入力されるタイミング信号に同期させて、ＣＣＤ３から入力された画像信号の感度補正等の各種画像処理を行って所定の画像信号を生成し、Ａ／Ｄ変換回路５に出力する。Ａ／Ｄ変換回路５は、入力された画像信号をアナログ信号からデジタル信号へ変換し、ＣＰＵ１１の指示によりメモリ６、又はＡＥ処理回路１３に画像データを出力する。
【００３３】
メモリ６は、バッファメモリ等から構成され、入カされた画像信号を一時的に記憶する。また、メモリ６は、ＣＰＵ１１より画像表示指示を受けると、Ｄ／Ａ変換回路７に画像表示指示された画像データを出力し、Ｄ／Ａ変換回路７は、入力された画像データをアナログ変換するとともに、出力表示に適応するよう処理を施してモニタ８に出力表示する。一方、メモリ６は、ＣＰＵ１１より画像記録指示を受けると、圧縮伸長回路１０に画像記録指示された画像データを出力し、圧縮伸長回路１０は、入力された画像データに対して、たとえばＪＰＥＧ形式で記録用メモリ９に出力する。
【００３４】
モニタ８は、ＴＦＴ（Ｔｈｉｎ　Ｆｉｌｍ　Ｔｒａｎｓｉｓｔｏｒ）等から構成され、Ｄ／Ａ変換回路７から入力された画像信号を出力表示する。なお、表示は画像に限らず、例えば、機能選択するメニュー画面などのテキスト画面であってもよい。
【００３５】
記録部である記録用メモリ９は、半導体メモリ等からなる記録用のメモリであり、圧縮伸長回路１０から入力された画像データを記録する画像データ記録領域を有する記録媒体である。記録用メモリ９は、例えば、フラッシュメモリ等の内蔵型メモリであってもよいし、着脱可能なメモリカードやメモリスティックであってもよいし、ハードディスク、又はフロッピーディスク等の磁気記録媒体等であってもよい。すなわち、記録メモリ９は、記録手段としての機能を有する。
【００３６】
また、記録用メモリ９は、ＣＰＵ１１より画像読み出し指示を受けると、圧縮伸長回路１０に読み出し指示された画像データを出力し、圧縮伸長回路１０は、入力された画像データの伸長処理を行ってメモリ６に出力する。
【００３７】
圧縮伸長回路１０は、メモリ６から入力された画像データを所定の符号化方式で圧縮する圧縮回路と、読み出し指示された画像データを画面表示するために記録用メモリ９から入力された画像データを復号化して伸長する伸長回路と、からなる。すなわち、圧縮伸長回路１０は、圧縮伸長手段としての機能を有する。
【００３８】
ＣＰＵ（Ｃｅｎｔｒａｌ　Ｐｒｏｃｅｓｓｉｎｇ　Ｕｎｉｔ）１１は、ＥＥＰＲＯＭ２０に記憶されている撮影に関わる各種アプリケーションプログラムを図示しないワークエリアに読み出し、当該プログラムに従った撮影処理等の各種処理を実行し、処理結果をモニタ８に表示させる。
【００３９】
ＣＰＵ１１は、レリーズスイッチ２１ａ（図１）の半押しに応じて、ＡＥ処理回路１３を駆動制御し、得られた測光値より露光条件を決定し、レリーズスイッチ２１ａの全押しに応じて露光処理を実行し、生成された画像信号に画像処理、及びデジタル変換を行ってメモリ６に一時記憶後、圧縮伸長回路１０により画像データの圧縮化を行い、記録用メモリ９に出力する。
【００４０】
ＴＧ（Ｔｉｍｉｎｇ　Ｇｅｎｅｒａｔｏｒ）１２は、所定のタイミング信号を発生して撮像回路４、ＣＰＵ１１、ＣＣＤドライバ１４に出力する。
【００４１】
ＡＥ（Ａｕｔｏ　Ｅｘｐｏｓｕｒｅ：自動露光制御）処理回路１３は、適正な露光条件を検出するＡＥ処理を実行するＡＥ処理回路を備えて構成される。各処理は、ＣＰＵ１１からの指示によりＡ／Ｄ変換回路５から入力された画像データに対して実行される。
【００４２】
ＡＥ処理回路は、ＡＥ処理において、入力された１画面分、若しくは画面内の所定領域の輝度値に対して累積加算等の演算処理を行い、この処理結果から実露光時の適正な露光条件を算出して、ＣＰＵ１１に出力する。ＣＰＵ１１は、かかる結果に基づき、モータ駆動回路１６を介して、絞り駆動モータ１５を制御し、絞り２を絞ることで、最適な露出を得ることができる。
【００４３】
尚、本実施の形態においては、レンズユニット１は単焦点タイプであるため、光軸方向にレンズを移動する機構を持たないが、ＣＣＤ３を用いたいわゆる像面ＡＦ方式により、レンズユニット１の構成レンズを光軸方向に移動させることは任意である。
【００４４】
単三電池１９は、デジタルカメラ１００の各構成部に電力を供給する電力源であり、例えば、リチウム電池やアルカリ乾電池等が適用されるが、単形電池であるため、世界中のいずれでも入手が容易である。
【００４５】
ＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ−Ｏｎｌｙ　Ｍｅｍｏｒｙ）２０は、デジタルスチルカメラ１００の撮像に関る各種アプリケーションプログラム、処理プログラム等を記憶する。
【００４６】
操作ＳＷ（スイッチ）２１は、レリーズスイッチ２１ａや、機能を切り替えるモードＳＷ、設定を選択するメニューＳＷ等、各種操作スイッチを備えて構成される。また、各スイッチを操作すると、信号を生成してＣＰＵ１１に出力する。なお、レリーズスイッチ２１ａは、撮影動作に先立ってＡＥ処理を開始させる半押しレリーズスイッチと、実際の露光処理を開始させる全押しレリーズスイッチと、からなる２段のスイッチから構成されている。
【００４７】
閃光発光部２２は、撮影時に検出された周囲環境の輝度が不足する場合に、被写体にストロボ光を発光する発光部であり、スイッチング回路２３によりその発光タイミングや発光量等が制御される。
【００４８】
特に、本実施の形態のデジタルカメラ１００では、レンズユニット１の光軸方向長さを、第１領域（装填部）に装填される単形電池１９の外径の０．９倍以上とすることで、単焦点タイプながら、十分な光学性能を有するレンズユニット１を得ることができ、一方、１．１倍以下とすることで、前後方向長の小さいデジタルカメラ１００を提供できる。
【００４９】
更に、第１領域（装填部）に装填された２本の単三電池を配置する場合でも、撮影光学系の光軸方向に直交する方向に平行に配置することで、デジタルカメラ１００の前後方向長を小さく抑えることができる。
【００５０】
又、第１領域（装填部）に装填された単三電池１９の軸線に対し、レンズユニット１の光軸よりも近い位置に、レリーズ信号を出力するためのレリーズスイッチ２１ａを配置することで、グリップ側（第１の領域側）に単三電池１９が配置されていることができるため、撮影者がデジタルカメラ１００を把持するグリップ側に、比較的重い単形電池を配置することで、デジタルカメラ１００を片手で把持してもバランスが良く、カメラブレなどを抑制できる効果がある。
【００５１】
更に、第１領域（装填部）に装填された単三電池１９の軸線に対し、レンズユニット１の光軸を挟んで反対側に、画像を表示するモニタ８が配置されているので、デジタルカメラ１００をコンパクトな構成としたときに、それを把持する撮影者の親指などがモニタ８上に被さって、表示される画像を隠すことなどが抑制されるので好ましい。
【００５２】
又、第１領域（装填部）に装填された単三電池１９の軸線に対し、レンズユニット１の光軸を挟んで反対側に、画像処理回路１０２が配置されているため、モニタ８と画像処理回路１０２は近接した配置されることとなり、それらを互いに接続する配線（不図示）が短くて済み、ノイズがのるなど不具合を抑制できるからである。
【００５３】
更に、モニタ８と、画像処理回路１０２とは、デジタルカメラ１００の前記方向すなわちレンズユニット１の光軸方向に見たときに、少なくとも一部が重合するように配置されているので、それらを互いに接続する配線を極力短くできる。
【００５４】
図３は、第２の実施の形態にかかるデジタルカメラ２００の、図１と同様な斜視図である。本実施の形態においては、上述した実施の形態に対して、コンデンサの配置位置を特定した点のみが異なるため、それ以外の共通する点に関しては、同じ符号を付して説明を省略する。
【００５５】
図３に示す実施の形態においては、装填部に装填された単三電池１９に隣接して、ほぼ同じ寸法・形状のコンデンサＣを平行に配置している。このように、単三電池１９と同じ寸法・形状のコンデンサＣを設けることで、デジタルカメラ２００の薄形コンパクト性を確保しつつも、その容量を確保できる。尚、コンデンサＣは、厳密に単三電池１９と同じ寸法でなくても、その全長及び幅が０．９倍以上、１．１倍以下であれば足り、必ずしも円筒状でなく角柱であっても良い。又、単三電池１９は、複数本配置されていても良い。
【００５６】
以上、本発明を実施の形態を参照して説明してきたが、本発明は上記実施の形態に限定して解釈されるべきではなく、適宜変更・改良が可能であることはもちろんである。
【００５７】
【発明の効果】
本発明によれば、コンパクトな構成を有しながらも、十分なる実用性を発揮できるデジタルカメラを提供することができる。
【図面の簡単な説明】
【図１】本発明を適用したデジタルカメラｌ００の一実施の形態を示す外観斜視図である。
【図２】デジタルカメラ１００の機能的構成を示すブロック図である。
【図３】本発明を適用した第２の実施の形態にかかるデジタルカメラ２００の外観斜視図である。
【符号の説明】
１　レンズユニット
８　モニタ
１９　単三電池
１００、２００　デジタルカメラ
１０２　回路基板
Ｃ　コンデンサ
【図１】
2004104218.tif 000003
【図２】
2004104218.tif 000004
【図３】
2004104218.tif 000005